(57)【特許請求の範囲】
【請求項１】
識別情報がインパクト印字されるＩＤ印字領域を有する印字シートと、該印字シートにインパクト印字された情報が複写される複写シートとが重ね合わされてなる複写帳票であって、
前記複写シートは、前記印字シートとの重ね合わせ面のうち、前記ＩＤ印字領域に対向する領域に導電層が剥離層を介して積層され、
前記印字シートは、前記複写シートとの重ね合わせ面のうち、少なくとも前記導電層に対向する領域に感圧接着剤層が積層されている複写帳票。
【請求項２】
請求項１に記載の複写帳票において、
前記印字シートは、前記ＩＤ印字領域に識別情報がインパクト印字されることにより、前記感圧接着剤層によって当該識別情報の形状に前記導電層と貼着されている複写帳票。
【請求項３】
請求項２に記載の複写帳票において、
前記複写シートは、前記ＩＤ印字領域に識別情報がインパクト印字された後に前記印字シートから分離されることで、前記導電層のうち前記感圧接着剤層によって前記印字シートに貼着されている部分が該印字シートに転写されることにより、前記導電層が前記識別情報の形状にくり抜かれている複写帳票。
【発明の詳細な説明】
【技術分野】
【０００１】
本発明は、情報がインパクト印字される印字シートと、印字シートにインパクト印字された情報が複写される複写シートとが重ね合わされてなる複写帳票に関する。
【背景技術】
【０００２】
従来、配送物を配送する場合、配送物の配送元及び配送先の住所や氏名あるいは名称等の配送情報が記入された配送伝票が用いられ、配送情報が印字または記入された配送伝票が配送物に貼付され、配送伝票に印字等された配送情報に従って配送物が配送先に配送されている。
【０００３】
このような配送伝票としては、複数のシートが分離可能に重ね合わされ、複数のシートのうち最上面となるシートに配送情報を印字または記入するための配送情報記入領域が設けられるとともに、他のシートに、配送情報記入領域に印字等された配送情報が複写される配送情報複写領域が設けられ、配送情報記入領域に配送情報が印字または記入されると、この配送情報が配送情報複写領域にも複写される構造を有するものが用いられている（例えば、特許文献１，２参照）。
【０００４】
また、このような配送伝票においては、配送物を管理するための識別情報となる問い合わせ番号が印字されており、この問い合わせ番号は、最上面のシートにインパクトプリンターによってインパクト印字されることにより、他のシートにも複写されることとなる。印字された問い合わせ番号は、光学文字読取（ＯＣＲ：Optical Character Reader）技術や赤外線を用いて読み取られることが行われており、これらの手段で読み取れない場合は目視で認識されている。また、問い合わせ番号をバーコード化して印字しておくことにより、バーコードリーダを用いて読み取ることもできる。
【０００５】
ところで、近年においては、電磁波を用いて非接触状態でＩＤを読み取るＲＦＩＤ技術が普及しており、物流分野にも導入され始めている。ＲＦＩＤ技術においては、バーコードを用いたものと比べて遠距離でＩＤを読み取ることができるとともに、ＩＤが表示されたシートのＩＤの表示面とは反対側の面からもＩＤを読み取ることができる。ＲＦＩＤ技術を利用した識別体としては、共振周波数が互いに異なる複数のアンテナを有し、複数のアンテナを構成する誘電子要素とコンデンサ要素の形状を異ならせたり、複数のアンテナの形状や向きを異ならせたりして共振周波数を複数のアンテナ毎に異ならせ、そのアンテナの組み合わせでＩＤを表現可能とする技術が考えられている（例えば、特許文献３参照）。この技術においては、ＲＦＩＤ技術でありながらも、ＩＣチップを用いない構成とすることにより、高価なＩＣチップによるコストアップを回避することができる。
【０００６】
そこで、上述した問い合わせ番号等の識別情報を、アンテナの共振周波数を異ならせることによって付与することで、大幅なコストアップを生じさせることなくＲＦＩＤ技術を用いて配送物の管理を行うことができるようになる。
【先行技術文献】
【特許文献】
【０００７】
【特許文献１】特開２００９−１４３２００号公報
【特許文献２】実開平４−１１３９７６号公報
【特許文献３】特公平７−８０３８６号公報
【発明の概要】
【発明が解決しようとする課題】
【０００８】
上述した問い合わせ番号等の識別情報を、アンテナの共振周波数を異ならせることによって付与する場合、シートに識別情報を予め付与しておくこととなる。
【０００９】
ところが、上述した配送伝票のように重ね合わされた複数のシートに同一の識別情報を付与するものに対して、アンテナの共振周波数を異ならせることによって識別情報を付与する場合、最上面のシートに識別情報を印字するだけでは、識別情報に応じた共振周波数を有するアンテナを他のシートに形成することはできないため、最上面のシートに識別情報を印字する処理とは別途に、他のシートに、識別情報に応じた共振周波数を有するアンテナを形成しなければならない。そのため、上述したような一般的な配送伝票のように、識別情報を印字するといった一度の処理で複数のシートに識別情報を付与することができず、処理が煩雑になってしまうという問題点がある。
【００１０】
本発明は、上述したような従来の技術が有する問題点に鑑みてなされたものであって、情報がインパクト印字される印字シートと、印字シートにインパクト印字された情報が複写される複写シートとが重ね合わされてなる構成において、印字シートに識別情報を印字するだけで、複写シートにもＲＦＩＤ技術を用いた同一の識別情報を付与することができる複写帳票を提供することを目的とする。
【課題を解決するための手段】
【００１１】
上記目的を達成するために本発明は、
識別情報がインパクト印字されるＩＤ印字領域を有する印字シートと、該印字シートにインパクト印字された情報が複写される複写シートとが重ね合わされてなる複写帳票であって、
前記複写シートは、前記印字シートとの重ね合わせ面のうち、前記ＩＤ印字領域に対向する領域に導電層が剥離層を介して積層され、
前記印字シートは、前記複写シートとの重ね合わせ面のうち、少なくとも前記導電層に対向する領域に感圧接着剤層が積層されている。
【００１２】
上記のように構成された本発明においては、印字シートのＩＤ印字領域に識別情報がインパクト印字されると、このインパクト印字により、印字シートが感圧接着剤層によって識別情報の形状に導電層と貼着される。その後、印字シートが複写シートから分離されると、導電層が剥離層を介して複写シートに積層されていることにより、導電層の印字シートに貼着された部分が複写シートから剥離して印字シートに転写され、それにより、複写シートの導電層が識別情報の形状にくり抜かれた状態となる。そして、複写シートにおいては、導電層が識別情報の形状にくり抜かれた状態となっていることにより、識別情報に応じて導電層の共振周波数を異なるものとすることができ、この共振周波数を検出することによって識別情報を認識することができる。
【発明の効果】
【００１３】
本発明によれば、印字シートのＩＤ印字領域に識別情報がインパクト印字されることにより、印字シートが感圧接着剤層によって識別情報の形状に導電層と貼着され、その後、印字シートが複写シートから分離されると、導電層の印字シートに貼着された部分が複写シートから剥離して印字シートに転写され、複写シートの導電層が識別情報の形状にくり抜かれた状態となるため、この形状の違いによって導電層の共振周波数を識別情報に応じて異なるものとすることができ、印字シートに識別情報を印字するだけで、複写シートにもＲＦＩＤ技術を用いた同一の識別情報を付与することができる。
【図面の簡単な説明】
【００１４】
【図１】本発明の複写帳票の実施の一形態を示す図であり、（ａ）は表面図、（ｂ）は（ａ）に示したＡ−Ａ’断面図、（ｃ）は控え片の裏面の構成を示す図、（ｄ）は貼付片の表面の構成を示す図、（ｅ）は貼付片の裏面の構成を示す図である。
【図２】図１に示した配送伝票において控え片の問い合わせ番号表示欄に問い合わせ番号がインパクト印字される際の控え片と貼付片の状態を示す図である。
【図３】図１に示した貼付片の問い合わせ番号表示欄に形成されたフィギュアアンテナの構成を示す図である。
【図４】図１に示した貼付片の問い合わせ番号表示欄に形成されるフィギュアアンテナの周波数特性の一例を示す図であり、（ａ）はフィギュアアンテナの周波数特性を示す図、（ｂ）はその結果をまとめた図である。
【図５】図１に示した貼付片の問い合わせ番号表示欄に形成されるフィギュアアンテナの周波数特性の他の例を示す図であり、（ａ）はフィギュアアンテナの周波数特性を示す図、（ｂ）はその結果をまとめた図である。
【図６】図１に示した配送伝票の問い合わせ番号表示欄に形成されたフィギュアアンテナを用いて配送物を識別する識別システムの一例を示す図である。
【図７】図６に示した識別システムにおいて、図１に示した貼付片に付与された問い合わせ番号を認識する方法を説明するための図であり、（ａ）は問い合わせ番号が認識される際の貼付片の状態を示す図、（ｂ）〜（ｅ）はアンテナを介した電磁波の放射及びフィギュアアンテナからの反射波のアンテナを介した検知の状態を示す図である。
【発明を実施するための形態】
【００１５】
以下に、本発明の実施の形態について図面を参照して説明する。
【００１６】
図１は、本発明の複写帳票の実施の一形態を示す図であり、（ａ）は表面図、（ｂ）は（ａ）に示したＡ−Ａ’断面図、（ｃ）は控え片２の裏面の構成を示す図、（ｄ）は貼付片３の表面の構成を示す図、（ｅ）は貼付片３の裏面の構成を示す図である。
【００１７】
本形態における複写帳票は図１に示すように、控え片２と貼付片３とが重ね合わされてなる配送伝票１である。
【００１８】
控え片２は、本発明の印字シートとなるものである。控え片２の表面には図１（ａ）に示すように、この配送伝票１が貼付されて配送される配送物の配送先の住所や氏名等が表示される配送先情報表示欄１３と、配送物の配送元の住所や氏名等が表示される配送元情報表示欄１５と、配送物の品名が表示される品名表示欄１４と、配送物の配送状況を管理するための問い合わせ番号が表示される問い合わせ番号表示欄１０とが設けられている。この問い合わせ番号表示欄１０には、問い合わせ番号を構成する識別情報となる数字が表示されるＩＤ印字領域となる番号表示領域１０ａ〜１０ｌが設けられている。
【００１９】
また、控え片２の一端辺に沿ってミシン目１２が形成されており、そのミシン目１２よりも一端辺側がマージナル部１１となっている。
【００２０】
また、図１（ｃ）に示すように、控え片２の裏面には、マージナル部１１に粘着剤３０が塗布されている。また、配送先情報表示欄１３、配送元情報表示欄１５及び品名表示欄１４の裏面に顕色剤層７が積層されるとともに、問い合わせ番号表示欄１０の裏面に感圧接着剤層６が積層されている。なお、感圧接着剤層６を構成する感圧接着剤としては、公知の感圧接着剤を用いることが考えられる。
【００２１】
貼付片３は、本発明の複写シートとなるものである。貼付片３の表面には図１（ｄ）に示すように、控え片２の配送先情報表示欄１３、配送元情報表示欄１５及び品名表示欄１４に対向する領域に、これら配送先情報表示欄１３、配送元情報表示欄１５及び品名表示欄１４にインパクト印字された情報が複写される配送先情報表示欄２３、配送元情報表示欄２５及び品名表示欄２４が設けられているとともに、配送伝票１が貼付されて配送される配送物の配送先にて受領印を押印するための押印欄２５が設けられている。また、控え片２の問い合わせ番号表示欄１０に対向する領域に問い合わせ番号表示欄２０が設けられており、問い合わせ番号表示欄２０にはシリコーン系の剥離層９が積層されている。そして、問い合わせ番号表示欄２０においては、剥離層９上に、控え片２の番号表示領域１０ａ〜１０ｌのそれぞれに対向してエーテル系のカーボンブラックペーストからなる導電層２０ａ〜２０ｌが積層されている。また、配送先情報表示欄２３、配送元情報表示欄２５及び品名表示欄２４には、それぞれ控え片２の顕色剤層７に対向してマイクロカプセル層８が積層されている。なお、導電層２０ａ〜２０ｌを構成するカーボンペーストとしては、エブリオームＲＰ−１５１−６００を用いることが考えられる。
【００２２】
また、貼付片３は、問い合わせ番号表示欄２０、品名表示欄２４及び押印欄２５を取り囲むようにミシン目２２が形成されており、それにより、ミシン目２２によって囲まれた領域が受領片４となって貼付片３から分離可能となっている。なお、受領片４の１つの角部には、切り欠き２６が設けられており、受領片４を貼付片３から分離しやすくなっている。また、控え片２のマージナル部１１に対向する領域がマージナル部２１となっており、マージナル部２１の表面には粘着剤３０が塗布されている。
【００２３】
また、図１（ｅ）に示すように、貼付片３の裏面には、受領片４を除いた領域の全面に粘着剤３０が塗布されており、この粘着剤３０によって剥離紙５が貼付片３に剥離可能に貼着されている。
【００２４】
以下に、上記のように構成された配送伝票１の使用方法について説明する。
【００２５】
まず、控え片２の問い合わせ番号表示欄１０に、この配送伝票１が貼付されて配送される配送物の配送状況を管理するための問い合わせ番号が、数字の形状に加工されたクリップを用いてインパクト印字される。
【００２６】
図２は、図１に示した配送伝票１において控え片２の問い合わせ番号表示欄１０に問い合わせ番号がインパクト印字される際の控え片２と貼付片３の状態を示す図であり、問い合わせ番号表示欄１０，２０近傍の断面図を示す。
【００２７】
上述したように、控え片２の問い合わせ番号表示欄１０に対向して貼付片３に設けられた問い合わせ番号表示欄２０には、控え片２との重ね合わせ面に、問い合わせ番号表示欄１０の番号表示領域１０ａ〜１０ｌのそれぞれに対向して導電層２０ａ〜２０ｌが積層されている。
【００２８】
また、控え片２の問い合わせ番号表示欄１０の裏面には感圧接着剤層６が積層されているが、問い合わせ番号表示欄１０に問い合わせ番号がインパクト印字される前の状態においては、図２（ａ）に示すように、これら感圧接着剤層６と導電層２０ａ〜２０ｌとは接着されていない。
【００２９】
その状態から、控え片２の問い合わせ番号表示欄１０に問い合わせ番号がインパクト印字されると、図２（ｂ）に示すように、番号表示領域１０ａ〜１０ｌのそれぞれに、問い合わせ番号を構成する数字１１０ａ〜１１０ｌが印字されるともに、その圧力によって、控え片２が感圧接着剤層６を介して数字１１０ａ〜１１０ｌの形状に導電層２０ａ〜２０ｌと接し、控え片２が感圧接着剤層６によって数字１１０ａ〜１１０ｌの形状に導電層２０ａ〜２０ｌと貼着された状態となる。
【００３０】
また、この配送伝票１が貼付されて配送される配送物の配送先の住所や氏名等の情報が配送先情報表示欄１３にインパクト印字あるいは記入されるとともに、配送物の配送元の住所や氏名等の情報が配送元情報表示欄１５にインパクト印字あるいは記入され、さらに、配送物の品名が品名表示欄１４にインパクト印字あるいは記入されると、その圧力によって、マイクロカプセル層８に包含された発色剤が放出され、顕色剤層７の顕色剤と接触することにより発色し、配送先情報表示欄１３、配送元情報表示欄１５及び品名表示欄１４にインパクト印字あるいは記入された情報が、それぞれ、配送先情報表示欄２３、配送元情報表示欄２５及び品名表示欄２４に複写される。
【００３１】
その後、剥離紙５が剥離され、貼付片３の裏面に塗布された粘着剤３０によって配送伝票１が配送物に貼付されることになる。
【００３２】
配送伝票１が貼付された配送物の配送が配送業者等にて受け付けられると、控え片２が貼付片３から分離される。控え片２と貼付片３とは、マージナル部１１，２１にて粘着剤３０によって貼着されているものの、マージナル部１１，２１の幅が狭いことで貼着面積が狭いため、控え片２を貼付片３から容易に分離することができる。
【００３３】
すると、上述したように、導電層２０ａ〜２０ｌが剥離層９上に積層されていることにより、図２（ｃ）に示すように、導電層２０ａ〜２０ｌのうち感圧接着剤層６によって控え片２に貼着されている部分が、貼付片３から剥離して控え片２に転写される。
【００３４】
それにより、貼付片３においては、導電層２０ａ〜２０ｌが数字１１０ａ〜１１０ｌの形状にくり抜かれてなるフィギュアアンテナ１２０ａ〜１２０ｌが形成されることになる。
【００３５】
図３は、図１に示した貼付片３の問い合わせ番号表示欄２０に形成されたフィギュアアンテナ１２０ａ〜１２０ｌの構成を示す図である。
【００３６】
上述したように、控え片２の問い合わせ番号表示欄１０に問い合わせ番号がインパクト印字された後に、控え片２が貼付片３から分離することによって、貼付片３の問い合わせ番号表示欄２０に形成されたフィギュアアンテナ１２０ａ〜１２０ｌは、図３に示すように、非導電部１２２ａ〜１２２ｌと、導電層２０ａ〜２０ｌから非導電部１２２ａ〜１２２ｌがくり抜かれてなる導電部１２１ａ〜１２１ｌとから構成されている。
【００３７】
非導電部１２２ａ〜１２２ｌのそれぞれは、控え片２の問い合わせ番号表示欄１０を構成する番号表示領域１０ａ〜１０ｌにインパクト印字された数字の形状となっている。具体的には、控え片２の問い合わせ番号表示欄１０にインパクト印字された問い合わせ番号が“２３１３−４９４５−７８０６”であることにより、非導電部１２２ａは、番号表示領域１０ａにインパクト印字された数字“２”の形状を有し、フィギュアアンテナ１２０ａが“２”を表示するものとなっている。また、非導電部１２２ｂは、番号表示領域１０ｂにインパクト印字された数字“３”の形状を有し、フィギュアアンテナ１２０ｂが“３”を表示するものとなっている。また、非導電部１２２ｃは、番号表示領域１０ｃにインパクト印字された数字“１”の形状を有し、フィギュアアンテナ１２０ｃが“１”を表示するものとなっている。また、非導電部１２２ｄは、番号表示領域１０ｄにインパクト印字された数字“３”の形状を有し、フィギュアアンテナ１２０ｄが“３”を表示するものとなっている。また、非導電部１２２ｅは、番号表示領域１０ｅにインパクト印字された数字“４”の形状を有し、フィギュアアンテナ１２０ｅが“４”を表示するものとなっている。また、非導電部１２２ｆは、番号表示領域１０ｆにインパクト印字された数字“９”の形状を有し、フィギュアアンテナ１２０ｆが“９”を表示するものとなっている。また、非導電部１２２ｇは、番号表示領域１０ｇにインパクト印字された数字“４”の形状を有し、フィギュアアンテナ１２０ｇが“４”を表示するものとなっている。また、非導電部１２２ｈは、番号表示領域１０ｈにインパクト印字された数字“５”の形状を有し、フィギュアアンテナ１２０ｈが“５”を表示するものとなっている。また、非導電部１２２ｉは、番号表示領域１０ｉにインパクト印字された数字“７”の形状を有し、フィギュアアンテナ１２０ｉが“７”を表示するものとなっている。また、非導電部１２２ｊは、番号表示領域１０ｊにインパクト印字された数字“８”の形状を有し、フィギュアアンテナ１２０ｊが“８”を表示するものとなっている。また、非導電部１２２ｋは、番号表示領域１０ｋにインパクト印字された数字“０”の形状を有し、フィギュアアンテナ１２０ｋが“０”を表示するものとなっている。また、非導電部１２２ｌは、番号表示領域１０ｌにインパクト印字された数字“６”の形状を有し、フィギュアアンテナ１２０ｌが“６”を表示するものとなっている。なお、非導電部１２２ａ〜１２２ｌはそれぞれ、導電層２０ａ〜２０ｌの端部から、番号表示領域１０ａ〜１０ｌにインパクト印字された数字の形状にくり抜かれて構成されている。
【００３８】
上記のように、フィギュアアンテナ１２０ａ〜１２０ｌは、問い合わせ番号表示欄１０にインパクト印字された数字に応じた形状を具備する導電部１２１ａ〜１２１ｌを有するものであることから、その共振周波数を、問い合わせ番号表示欄１０にインパクト印字された数字毎に異なるものとすることができる。
【００３９】
以下に、上記のように導電層が数字の形状にくり抜かれてなるフィギュアアンテナの共振周波数について説明する。
【００４０】
図１に示した配送伝票１について、問い合わせ番号表示欄２０に形成されるフィギュアアンテナの共振周波数を測定した。なおその際、フィギュアアンテナが形成されたベース基材として、１．６ｍｍの厚みを有するＦＲ４（Flame Retardant Type 4）を用いるとともに、フィギュアアンテナの外形を３０ｍｍ×３０ｍｍとし、導電層として７０μｍの厚みのカーボン箔からなるものを用いた。また、フィギュアアンテナに対して電磁波の送受信をするためのアンテナとして、３６ｍｍ×３６ｍｍの形状を有し１８μｍの厚みの銅箔からなる２．０ＧＨｚで共振するパッチアンテナを用いた。この条件の下で、フィギュアアンテナの反射係数を測定した。
【００４１】
図４は、図１に示した貼付片３の問い合わせ番号表示欄２０に形成されるフィギュアアンテナの周波数特性の一例を示す図であり、（ａ）はフィギュアアンテナの周波数特性を示す図、（ｂ）はその結果をまとめた図である。なお、本実験においては、数字“１”，“６”に対応するフィギュアアンテナの共振周波数について行った。
【００４２】
パッチアンテナにフィギュアアンテナが翳されていない状態においては、図４（ａ）の実線で示すように、２．０３ＧＨｚ付近に１つだけ共振点（以下、第１共振点と称する）が検出された。また、非導電部を有さない導電層にパッチアンテナを１ｍｍ程度に近づけた状態においても、図４（ａ）の破線で示すように、１．９８ＧＨｚ付近に１つだけ第１共振点が検出された。
【００４３】
一方、数字“１”対応するフィギュアアンテナにパッチアンテナを１ｍｍ程度に近づけると、図４（ａ）の一点鎖線で示すように、１．６ＧＨｚ付近に２つ目の共振点（以下、第２共振点と称する）が検出された。また、数字“６”対応するフィギュアアンテナにパッチアンテナを１ｍｍ程度に近づけると、図４（ａ）の二点鎖線で示すように、１．５３ＧＨｚ付近に第２共振点が検出された。
【００４４】
そして、これらをまとめると図４（ｂ）に示すように、フィギュアアンテナの共振周波数は、非導電部を有さない導電層とは異なり、また、くり抜かれた数字の形状によって互いに異なるものとなる。
【００４５】
また、別の実験として、フィギュアアンテナが形成されたベース基材として、０．１ｍｍの厚みを有する紙を用いるとともに、フィギュアアンテナの外形を６．５ｍｍ×８．５ｍｍとし、導電層として７０μｍの厚みのカーボン箔からなるものを用いた。また、フィギュアアンテナに対して電磁波の送受信をするためのアンテナとして、１２ｍｍ×１２ｍｍの形状を有し１８μｍの厚みの銅箔からなる６．０ＧＨｚで共振するパッチアンテナを用いた。この条件の下で、フィギュアアンテナの反射係数を測定した。
【００４６】
図５は、図１に示した貼付片３の問い合わせ番号表示欄２０に形成されるフィギュアアンテナの周波数特性の他の例を示す図であり、（ａ）はフィギュアアンテナの周波数特性を示す図、（ｂ）はその結果をまとめた図である。なお、本実験においては、数字“１”に対応するフィギュアアンテナの共振周波数について行った。
【００４７】
パッチアンテナにフィギュアアンテナが翳されていない状態においては、図５（ａ）の実線で示すように、６．０ＧＨｚ付近に１つだけ第１共振点が検出された。
【００４８】
一方、数字“１”対応するフィギュアアンテナにパッチアンテナを近づけると、図５（ａ）の破線で示すように、４．７ＧＨｚ付近に第２共振点が検出された。
【００４９】
そして、これらをまとめると図５（ｂ）に示すように、フィギュアアンテナの共振周波数は、フィギュアアンテナが存在しない場合とは異なるものとなる。
【００５０】
上記２つの実験結果から、貼付片３の問い合わせ番号表示欄２０に形成されたフィギュアアンテナ１２０ａ〜１２０ｌの共振周波数は、導電部１２１ａ〜１２１ｌの形状に応じて、問い合わせ番号表示欄１０を構成する番号表示領域１０ａ〜１０ｌにインパクト印字された数字毎に異なるものとなることがわかる。
【００５１】
以下に、上記のようにして形成されたフィギュアアンテナ１２０ａ〜１２０ｌを用いて配送物を識別する方法について説明する。
【００５２】
図６は、図１に示した配送伝票１の問い合わせ番号表示欄２０に形成されたフィギュアアンテナ１２０ａ〜１２０ｌを用いて配送物を識別する識別システムの一例を示す図である。
【００５３】
本例における識別システムは図６に示すように、アンテナ４１と、電磁波放射部４２と、周波数検出部４３と、ＩＤデータベース４４と、個別ＩＤ認識部４５と、ＩＤ認識部４６とを有している。
【００５４】
電磁波放射部４２は、問い合わせ番号表示欄２０に形成されたフィギュアアンテナ１２０ａ〜１２０ｌのそれぞれに対して、数字“０”〜“９”に対応するフィギュアアンテナの共振周波数を含む周波数帯をスイープしながら当該周波数帯の電磁波をアンテナ４１を介して放射する。なお、電磁波放射部４２においては、数字“０”〜“９”に対応するフィギュアアンテナの共振周波数を含む周波数帯をスイープするのではなく、フィギュアアンテナ１２０ａ〜１２０ｌのそれぞれに対して、数字“０”〜“９”に対応するフィギュアアンテナの共振周波数の電磁波を同時に放射する構成としてもよい。
【００５５】
周波数検出部４３は、電磁波放射部４２から放射された電磁波に対する反射波を、フィギュアアンテナ１２０ａ〜１２０ｌ毎にアンテナ４１を介して検知し、この反射波の共振周波数を検出することにより、フィギュアアンテナ１２０ａ〜１２０ｌの共振周波数を検出する。
【００５６】
ＩＤデータベース４４は、数字“０”〜“９”に対応するフィギュアアンテナの共振周波数と、それに対応する数字とが対応づけて登録されている。また、数字“０”〜“９”に対応するフィギュアアンテナが存在しない場合の共振周波数と、非導電部を有さない導電層の共振周波数とが登録されている。
【００５７】
個別ＩＤ認識部４５は、周波数検出部４３にて検出された共振周波数にＩＤデータベース４４にて対応づけられた数字を認識する。すなわち、個別ＩＤ認識部４５は、周波数検出部４３にて検出された共振周波数を用いて、控え片２の問い合わせ番号表示欄１０にインパクト印字されることで貼付片３に付与された数字を番号表示領域１０ａ〜１０ｌ毎に認識する。
【００５８】
ＩＤ認識部４６は、個別ＩＤ認識部４５にて認識された数字を、その数字に対応する共振周波数が周波数検出部４３にて検出された順番に並べることで、貼付片３に付与された問い合わせ番号を認識する。
【００５９】
以下に、上記のように構成された識別システムにおいて、図１に示した配送伝票１の控え片２の問い合わせ番号表示欄１０にインパクト印字されることにより貼付片３に付与された問い合わせ番号を認識する方法について説明する。
【００６０】
図７は、図６に示した識別システムにおいて、図１に示した貼付片３に付与された問い合わせ番号を認識する方法を説明するための図であり、（ａ）は問い合わせ番号が認識される際の貼付片３の状態を示す図、（ｂ）〜（ｅ）はアンテナ４１を介した電磁波の放射及びフィギュアアンテナからの反射波のアンテナ４１を介した検知の状態を示す図である。
【００６１】
電磁波放射部４２から放射された電磁波は、図７（ａ）に示すように貼付片３が貼付された配送物５０が搬送されるコンベアー６０上にアンテナ４１を介して放射される。その際、電磁波放射部４２からは、数字“０”〜“９”に対応するフィギュアアンテナの共振周波数を含む周波数帯をスイープするように電磁波が放射されているが、電磁波が放射された領域にフィギュアアンテナが存在しない場合は、反射波が検知されない。すると、個別ＩＤ認識部４５において、電磁波が放射された領域にフィギュアアンテナが存在しないものと判断される。なお、アンテナ４１は、図７（ａ）に示すようにコンベアー６０の上方に設けられているものに限らない。例えば、コンベアー６０の下方に設けられており、コンベアー６０上を搬送されてくる配送物５０に対してコンベアー６０を介して電磁波を放射したり、コンベアー６０の側方に設けられていてもよい。
【００６２】
そして、図７（ａ）に示すように、貼付片３が貼付された配送物５０は、コンベアー６０上を搬送されてきて、問い合わせ番号表示欄２０がアンテナ４１に対向するようになる。この際、問い合わせ番号表示欄２０には、上述したように、フィギュアアンテナ１２０ａ〜１２０ｌが形成されており、コンベアー６０上を配送物５０が搬送されていくことにより、アンテナ４１が、フィギュアアンテナ１２０ａ側からフィギュアアンテナ１２０ａ〜１２０ｌに順次対向していくことになる。
【００６３】
アンテナ４１がまずフィギュアアンテナ１２０ａに対向すると、図７（ｂ）に示すように、電磁波放射部４２から放射された電磁波がアンテナ４１を介してフィギュアアンテナ１２０ａに放射される。ここで、アンテナ４１は、フィギュアアンテナ１２０ａ〜１２０ｌの１つずつに電磁波を照射できるような指向性を有するものとなっている。電磁波放射部４２から放射された電磁波がアンテナ４１を介してフィギュアアンテナ１２０ａに放射されると、フィギュアアンテナ１２０ａからの反射波がアンテナ４１を介して検知される。この際、電磁波放射部４２からは、アンテナ４１がフィギュアアンテナ１２０ａに対向した状態で、数字“０”〜“９”に対応するフィギュアアンテナの共振周波数を含む周波数帯をスイープするように電磁波が放射されており、それにより、フィギュアアンテナ１２０ａからの反射波によって、フィギュアアンテナ１２０ａの共振周波数が周波数検出部４３にて検出される。本例では、フィギュアアンテナ１２０ａによって表示された数字が“２”であるため、ＩＤデータベース４４において数字“２”に対応する共振周波数が検出される。すると、個別ＩＤ認識部４５において、ＩＤデータベース４４が参照され、検出された共振周波数に対応づけられた数字“２”が認識される。
【００６４】
配送物５０がコンベアー６０上を搬送されていき、次に、アンテナ４１がフィギュアアンテナ１２０ｂに対向すると、図７（ｃ）に示すように、電磁波放射部４２から放射された電磁波がアンテナ４１を介してフィギュアアンテナ１２０ｂに放射され、フィギュアアンテナ１２０ｂからの反射波がアンテナ４１を介して検知される。この際上記同様に、電磁波放射部４２からは、アンテナ４１がフィギュアアンテナ１２０ｂに対向した状態で、数字“０”〜“９”に対応するフィギュアアンテナの共振周波数を含む周波数帯をスイープするように電磁波が放射されており、それにより、フィギュアアンテナ１２０ｂからの反射波によって、フィギュアアンテナ１２０ｂの共振周波数が周波数検出部４３にて検出される。本例では、フィギュアアンテナ１２０ｂによって表示された数字が“３”であるため、ＩＤデータベース４４において、“３”に対応する共振周波数が検出される。すると、個別ＩＤ認識部４５において、ＩＤデータベース４４が参照され、検出された共振周波数に対応づけられた数字“３”が認識される。
【００６５】
配送物５０がコンベアー６０上を搬送されていき、次に、アンテナ４１がフィギュアアンテナ１２０ｃに対向すると、図７（ｄ）に示すように、電磁波放射部４２から放射された電磁波がアンテナ４１を介してフィギュアアンテナ１２０ｃに放射され、フィギュアアンテナ１２０ｃからの反射波がアンテナ４１を介して検知される。この際上記同様に、電磁波放射部４２からは、アンテナ４１がフィギュアアンテナ１２０ｃに対向した状態で、数字“０”〜“９”に対応するフィギュアアンテナの共振周波数を含む周波数帯をスイープするように電磁波が放射されており、それにより、フィギュアアンテナ１２０ｃからの反射波によって、フィギュアアンテナ１２０ｃの共振周波数が周波数検出部４３にて検出される。本例では、フィギュアアンテナ１２０ｃによって表示された数字が“１”であるため、ＩＤデータベース４４において、“１”に対応する共振周波数が検出される。すると、個別ＩＤ認識部４５において、ＩＤデータベース４４が参照され、検出された共振周波数に対応づけられた数字“１”が認識される。
【００６６】
配送物５０がコンベアー６０上を搬送されていき、次に、アンテナ４１がフィギュアアンテナ１２０ｄに対向すると、図７（ｅ）に示すように、電磁波放射部４２から放射された電磁波がアンテナ４１を介してフィギュアアンテナ１２０ｄに放射され、フィギュアアンテナ１２０ｄからの反射波がアンテナ４１を介して検知される。この際上記同様に、電磁波放射部４２からは、アンテナ４１がフィギュアアンテナ１２０ｄに対向した状態で、数字“０”〜“９”に対応するフィギュアアンテナの共振周波数を含む周波数帯をスイープするように電磁波が放射されており、それにより、フィギュアアンテナ１２０ｄからの反射波によって、フィギュアアンテナ１２０ｄの共振周波数が周波数検出部４３にて検出される。本例では、フィギュアアンテナ１２０ｄによって表示された数字が“３”であるため、ＩＤデータベース４４において、“３”に対応する共振周波数が検出される。すると、個別ＩＤ認識部４５において、ＩＤデータベース４４が参照され、検出された共振周波数に対応づけられた数字“３”が認識される。
【００６７】
その後、同様にして、フィギュアアンテナ１２０ｅ〜１２０ｌの共振周波数が周波数検出部４３にて順次検出され、それにより、フィギュアアンテナ１２０ｅ〜１２０ｌによって表示された数字が個別ＩＤ認識部４５にて認識されていく。
【００６８】
問い合わせ番号表示欄２０にフィギュアアンテナ１２０ｅ〜１２０ｌによって付与された数字がそれぞれ個別ＩＤ認識部４５にて認識されると、ＩＤ認識部４６において、個別ＩＤ認識部４５にて認識された数字が、その数字に対応する共振周波数が周波数検出部４３にて検出された順番に並べられる。本例においては、周波数検出部４３において、“２”に対応する共振周波数、“３”に対応する共振周波数、“１”に対応する共振周波数、“３”に対応する共振周波数、“４”に対応する共振周波数、“９”に対応する共振周波数、“４”に対応する共振周波数、“５”に対応する共振周波数、“７”に対応する共振周波数、“８”に対応する共振周波数、“０”に対応する共振周波数、“６”に対応する共振周波数の順番で検出されたため、ＩＤ認識部４６において、これらの数字が、“２”，”３”，”１”，”３”，”４”，”９”，”４”，”５”，”７”，”８”，”０”，”６”の順番で並べられ、それにより、数字“２”，”３”，”１”，”３”，”４”，”９”，”４”，”５”，”７”，”８”，”０”，”６”がこの順で組み合わされてなる“２３１３４９４５７８０６”が、問い合わせ番号表示欄２０に付与された問い合わせ番号として認識されることになる。
【００６９】
このようにして問い合わせ番号が認識されると、認識された問い合わせ番号を用いて配送物５０の配送状況が管理されることになる。
【００７０】
貼付片３が貼付された配送物５０はその後、配送先情報表示欄２３に複写された配送先情報に従って配送先に届けられ、配送先にて押印欄２５に受領印が押下された後、切り欠き２６を分離開始端としてミシン目２２が破断されることによって受領片４が貼付片３から分離され、配送業者によって持ち帰られる。
【００７１】
このように本形態においては、控え片２の問い合わせ番号表示欄１０を構成する番号表示領域１０ａ〜１０ｌのそれぞれに、配送伝票１が貼付される配送物の配送状況を管理するための問い合わせ番号がインパクト印字されることにより、控え片２が感圧接着剤層６によって、問い合わせ番号を構成する数字の形状に導電層２０ａ〜２０ｌと貼着され、その後、控え片２が貼付片３から分離されると、導電層２０ａ〜２０ｌが数字の形状に控え片２に貼着されたまま貼付片３から剥離して控え片２に転写され、貼付片３の導電層２０ａ〜２０ｌが、問い合わせ番号を構成する数字の形状にくり抜かれてフィギュアアンテナ１２０ａ〜１２０ｌが形成されるため、このフィギュアアンテナ１２０ａ〜１２０ｌの共振周波数を検出することで、控え片２の問い合わせ番号表示欄１０にインパクト印字された問い合わせ番号を認識することができる。それにより、控え片２の問い合わせ番号表示欄１０を構成する番号表示領域１０ａ〜１０ｌのそれぞれに問い合わせ番号を構成する数字をインパクト印字するだけで、貼付片３にも同一の問い合わせ番号を、ＲＦＩＤ技術を用いて認識可能に付与することができる。
【００７２】
また、控え片２が貼付片３から分離された後にフィギュアアンテナ１２０ａ〜１２０ｌが形成されるので、控え片２が貼付片３から分離される前の状態においては、不要な妨害電波が発生することがない。
【００７３】
また、この問い合わせ番号は、フィギュアアンテナ１２０ａ〜１２０ｌの非導電部１２２ａ〜１２２ｌの形状により、視覚によっても認識可能であるため、上述したようにフィギュアアンテナ１２０ａ〜１２０ｌの共振周波数によって問い合わせ番号が認識できなかった場合でも、視覚によって認識することができる。
【００７４】
なお、本発明は、上述した配送伝票１に限らず、識別情報がインパクト印字されるＩＤ印字領域を有する印字シートと、この印字シートにインパクト印字された情報が複写される複写シートとが重ね合わされてなる複写帳票であれば、導電層２０ａ〜２０ｌ、剥離層９及び感圧接着剤層６を上述したように配置することにより、印字シートにインパクト印字された識別情報を、ＲＦＩＤ技術を用いて認識可能に付与することができる。また、フィギュアアンテナとして付与される識別情報としては、上述した数字に限らず、文字、記号等についても適用することができる。
【符号の説明】
【００７５】
１    配送伝票
２    控え片
３    貼付片
４    受領片
５    剥離紙
６    感圧接着剤層
７    顕色剤層
８    マイクロカプセル層
９    剥離層
１０，２０    問い合わせ番号表示欄
１０ａ〜１０ｌ    番号表示領域
１１，２１    マージナル部
１２，２２    ミシン目
１３，２３    配送先情報表示欄
１４，２４    品名表示欄
１５，２５  配送元情報表示欄
２０ａ〜２０ｌ    導電層
２５    押印欄
２６    切り欠き
３０    粘着剤
４１    アンテナ
４２    電波放射部
４３    周波数検出部
４４    ＩＤデータベース
４５    個別ＩＤ認識部
４６    ＩＤ認識部
５０    配送物
６０    コンベアー
１１０ａ〜１１０ｌ    数字
１２０ａ〜１２０ｌ    フィギュアアンテナ
１２１ａ〜１２１ｌ    導電部
１２２ａ〜１２２ｌ    非導電部
１２３ａ〜１２３ｌ    転写部
【図１】
0006457853.tif 000002
【図２】
0006457853.tif 000003
【図３】
0006457853.tif 000004
【図４】
0006457853.tif 000005
【図５】
0006457853.tif 000006
【図６】
0006457853.tif 000007
【図７】
0006457853.tif 000008